(57)【特許請求の範囲】
【請求項１】
少なくとも管理人室機と複数の住戸機とを有するインターホン設備において、
前記管理人室機は、
前記住戸機から前記管理人室機に対する呼び出しがあったことを示す呼出情報を記憶する記憶手段と、
前記記憶手段に呼出情報が記憶されているときに点灯する住戸メモリ灯と、
メモリスイッチと、
前記メモリスイッチからの入力によって、前記記憶手段に記憶されている呼出情報を読み出して表示する表示器と、
前記記憶手段に記憶されている呼出情報にある住戸機を前記管理人室機が呼び出し、該管理人室機と該住戸機との間で通話可能状態となった後に通話状態が終了したときに、該住戸機に関する呼出情報を前記記憶手段から消去する応答消去手段と、
を備えたことを特徴とするインターホン設備。
【請求項２】
前記住戸メモリ灯は、前記記憶手段に記憶されている呼出情報数の単数複数によって、連続点灯又は点滅点灯し、
前記表示器は、前記メモリスイッチからの入力によって、前記記憶手段に記憶されている呼出情報を読み出して表示しているときに、次表示スイッチの操作によって、前記記憶手段に記憶されている複数の呼出情報を順次に呼び出して順次に表示できる順次呼出機能を有することを特徴とする請求項１記載のインターホン設備。
【請求項３】
前記メモリスイッチは、テンキーからの予め設定されたメモリスイッチ用コードであることを特徴とする請求項１または２記載のインターホン設備。
【請求項４】
前記記憶手段に記憶されている呼出情報を呼出情報単位で個別に消去する個別消去手段を備え、
前記個別消去手段は、前記テンキーからの予め設定されたメモリスイッチ用コードの入力によって、前記記憶手段に記憶されている呼出情報を読み出して前記表示器に表示しているときに、前記テンキーからの取消用コードの入力によって、前記表示器に表示されている呼出情報を前記記憶手段から消去することを特徴とする請求項３記載のインターホン設備。
【発明の詳細な説明】
【０００１】
【発明の属する技術分野】
この発明は少なくとも管理人室機と複数の住戸機とを有するインターホン設備に関するものである。
【０００２】
【従来の技術】
管理人のいる集合住宅では各住戸と管理人室とに住戸機及び管理人室機からなるインターホン設備が設けられ、各住戸の居住者と管理人との間でインターホンを通じて連絡がとれるようになっている。
また、集合玄関を有する集合住宅では更に集合玄関用インターホン（玄関機）が設けられ、集合玄関と各住戸もしくは管理人室との間で通話が行えるようになっている。
【０００３】
【発明が解決しようとする課題】
しかしながら、従来のインターホン設備においては、居住者が住戸機から管理人室機を呼び出したときに例えば管理人が不在で通話ができない場合には、時間をおいて再度呼出をしなければならなかった。そのため、緊急の要件がある場合には、適当な時期を見計らって何度も呼出をしなければならないという問題があった。
【０００４】
本発明はかかる問題点を解決するためになされたものであり、管理人が不在の場合には住戸機から管理人室機への呼び出しがあったことを管理人に知らせることができるようにして、各住戸の居住者と管理人との円滑なコミュニケーションを可能とするインターホン設備を得ることを目的としている。
【０００５】
【課題を解決するための手段】
本発明に係るインターホン設備は、少なくとも管理人室機と複数の住戸機とを有するインターホン設備において、前記管理人室機は、前記住戸機から前記管理人室機に対する呼び出しがあったことを示す呼出情報を記憶する記憶手段と、前記記憶手段に呼出情報が記憶されているときに点灯する住戸メモリ灯と、メモリスイッチと、前記メモリスイッチからの入力によって、前記記憶手段に記憶されている呼出情報を読み出して表示する表示器と、前記記憶手段に記憶されている呼出情報にある住戸機を前記管理人室機が呼び出し、該管理人室機と該住戸機との間で通話可能状態となった後に通話状態が終了したときに、該住戸機に関する呼出情報を前記記憶手段から消去する応答消去手段と、を備えたものである。
【０００６】
また、前記住戸メモリ灯は、前記記憶手段に記憶されている呼出情報数の単数複数によって、連続点灯又は点滅点灯し、前記表示器は、前記メモリスイッチからの入力によって、前記記憶手段に記憶されている呼出情報を読み出して表示しているときに、次表示スイッチの操作によって、前記記憶手段に記憶されている複数の呼出情報を順次に呼び出して順次に表示できる順次呼出機能を有することを特徴とするものである。
【０００７】
さらに、前記メモリスイッチは、テンキーからの予め設定されたメモリスイッチ用コードであることを特徴とするものである。
【０００８】
また、前記記憶手段に記憶されている呼出情報を呼出情報単位で個別に消去する個別消去手段を備え、前記個別消去手段は、前記テンキーからの予め設定されたメモリスイッチ用コードの入力によって、前記記憶手段に記憶されている呼出情報を読み出して前記表示器に表示しているときに、前記テンキーからの取消用コードの入力によって、前記表示器に表示されている呼出情報を前記記憶手段から消去することを特徴とするものである。
【００１４】
【発明の実施の形態】
図１は本発明にかかるインターホン設備全体の系統図、図２は管理人室機のブロック図、図３は管理人室機の外観構成図、図４は各住戸に設置される住宅情報盤（以下、「住情盤」という。）の外観構成図を示している。
まず、図１に基づいてインターホン設備全体の構成について説明する。図１において、ＴＣは通話制御装置、ＶＣは映像制御装置、ＥＰ１〜ＥＰ２はマンションなどの集合住宅の集合玄関に設けられたロビーインターホン（玄関機）、ＳＭ１、ＳＭ２は集合住宅の管理室および管理人住戸に設けられた管理人室機、ＳＭＰは通話制御装置ＴＣと管理人室機ＳＭ１とを一つのケースに収容した管理室親機、Ｊｌ〜Ｊｎは集合住宅の各住戸に設けられたインターホン機能と防犯機能とを備えた住情盤である。
【００１５】
Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
ＤＰ１〜ＤＰｎは各住戸の玄関の外に設けられ、その住戸の住情盤Ｊ１〜Ｊｎに接続されたドアホン、ＪＢ２は住情盤Ｊ２が設けられた住戸内に設けられ住情盤Ｊ２に接続された増設インターホン、ＳＥ１は監視線ＬＳ１１〜ＬＳ１ｎによって住情盤Ｊ１〜Ｊｎに接続された各住戸の玄関の防犯センサ、ＳＥ２〜ＳＥ４は監視線ＬＳ２１〜ＬＳ２ｎによって住情盤Ｊ１〜Ｊｎに接続された各住戸の玄関以外の部分（ベランダに面した窓など）に設けられた防犯センサである。
【００１６】
次に、図２に基づいて管理人室機ＳＭ１の構成について説明する。図において、１は各種の処理及び演算を行うマイクロプロセッサ（ＭＰＵ）、３は各種のプログラムが記憶されたリードオンリメモリ（ＲＯＭ）、５は作業用のランダムアクセスメモリ（ＲＡＭ）、７は要呼出のあった住戸（住情盤）の住戸番号（更には日時）を記憶するランダムアクセスメモリ（ＲＡＭ）である。この例ではランダムアクセスメモリ（ＲＡＭ）７は最大２０件分の情報を記憶できる容量を有している。
【００１７】
８は玄関機ＥＰ１またはＥＰ２の図示しないテレビカメラから送られてくる訪問者の映像を映すＣＲＴあるいはＬＣＤ等のモニタテレビ、９は複数の７セグメント表示素子あるいは液晶パネルなどからなる表示器、１０はインターホンの呼出音、警報音などを流すスピーカ（ＳＰ）、１１はＲＡＭ２に住戸からの呼び出し情報を記憶しているときに点灯する住戸メモリ灯を含む各種の表示灯（各種ＬＰ）、１３は部屋（住戸）番号やコード等を入力するテンキー、１５は各種の動作を指示するための各種スイッチ（各種ＳＷ）、１７は制御線Ｌ１１〜Ｌ１３と信号の送受信を行う送受信回路（ＴＲＸ）、１９は図示しない通話線接続スイッチや映像線接続スイッチの開閉制御を行う接続制御回路（ＣＣ）、２１はハンドセット用フックスイッチの状態検出回路（ＦＳＳ）、２２はハンドセット（ＨＳ）である。
【００１８】
次に、図３に基づいて管理人室機ＳＭの正面の構成について説明する。図３において図２の構成と対応するものには同一の符号を付しているので重複した説明は省略し、図３に示す構成のうち図２において一括して示した各種表示灯１１と各種スイッチ１５についてその種類と機能の説明のみを加えることとする。
各種表示灯１１として本実施の形態においては例えば７種類の表示灯を有しており、１１ａは電源が入っていることを表示する電源灯、１１ｂは玄関機ＥＰ１またはＥＰ２からの呼出であることを示すロビー灯、１１ｃはドアホンからの呼出であることを示すドアホン灯、１１ｄは住情盤からの呼出であることを示す住戸灯、１１ｅはトラブルの発生した住情盤があるときに点灯するトラブル表示灯、１１ｆは防犯警戒中であることを示す警戒中灯、１１ｇは住情盤からの呼び出し情報を記憶しているときに点灯する住戸メモリ灯である。
【００１９】
また、各種スイッチ１５として本例では８種類のスイッチを有しており、これら各種スイッチをその機能と共に簡単に説明すると、１５ａは防犯モードのセットを行うと共にそのリセットを行う防犯セット／リセットスイッチ、１５ｂは全住戸に対してインターホン設備を通じて放送する際に操作する放送スイッチ、１５ｃは表示器９に現在表示の次の内容の表示を行わせるための次表示スイッチ、１５ｄは警報状態を解除復旧させるための復旧スイッチ、１５ｅは警報音を停止させる警報音停止スイッチ、１５ｆは集合玄関ドアの電気錠の解錠を行う解錠スイッチ、１５ｇはテンキー入力やそれまでの操作を取り消すための取消スイッチ、１５ｈは住戸を呼び出すための呼出スイッチである。
【００２０】
次に、図４に基づいて住情盤Ｊの正面の構成について説明する。３１は玄関機ＥＰ１またはＥＰ２の図示しないテレビカメラから送られてくる訪問者の映像を映すＣＲＴあるいはＬＣＤなどのモニタテレビ、３３はインターホンの呼出音、管理室からの放送、警報音などを流すスピーカ、３５ａ〜３５ｆは各種表示灯であり、本例では一例として６種類の表示灯を備えており、３５ａは電源灯、３５ｂは玄関機ＥＰ１またはＥＰ２からの呼出であることを示すロビー灯、３５ｃはドアホンからの呼出であることを示すドアホン灯、３５ｄは管理室からの呼出であることを示す管理室灯、３５ｅは防犯警戒中であることを示す警戒中灯、３５ｆは警報灯である。
【００２１】
３７ａ〜３７ｆは各種スイッチ（非ロック式の押しボタンスイッチ）であり、例えば、３７ａは在宅防犯モード（在宅モード）設定スイッチ、外出防犯モード（外出モード）設定スイッチ、各防犯モードの解除スイッチを兼ねた防犯スイッチ、３７ｂは管理人を呼び出すときに操作する管理人呼出スイッチ、３７ｃは警報音を停止させるための音響停止スイッチ、３７ｄは警報状態を解除復旧するための復旧スイッチ、３７ｅは集合玄関ドアの電気錠の解錠を行う解錠スイッチ、３７ｆは非常時に操作し管理人室機などへ非常信号を送出するための非常通報スイッチである。３９はインターホンのハンドセット（送受話器）である。
【００２２】
また、図４においては、各防犯センサＳＥ１〜ＳＥ３の一例として、監視線ＬＳ１ｎ及びＬＳ２ｎに直列に設けられたリードスイッチＬＳＷと、各住戸のドアや窓に取り付けられるリードスイッチＬＳＷのオンオフ用の磁石ＭＧを図示している。このセンサＳＥ１〜ＳＥ３はドアや窓が戸締まりされているとリードスイッチＬＳＷが磁石ＭＧによりオンする。なお、センサとしては他の形式のものを用いてもよい。
【００２３】
次ぎに、本発明の特徴的な動作を説明する前提として主に図１に基づいてインターホンの基本動作を住情盤と玄関機との通話を例に挙げて説明する。
訪問者が玄関機ＥＰ２の図示しないテンキーを操作して訪問すべき部屋番号、例えば１０２を入力し、次ぎに呼出スイッチを押すと、玄関機ＥＰ２から制御線Ｌ１１を介して通話制御装置ＴＣに部屋コードと呼出コードからなる呼出信号が送出される。
通話制御装置ＴＣは玄関機ＥＰ２から呼出信号を受信すると、空いている通話線、映像線を調べ、例えば第２通話線と第２映像線とが使用中であれば、呼出信号と第１通話線Ｌ２２および第１映像線Ｌ４２の通話・映像線指定命令を制御線Ｌ１２に送出すると共に、第１映像線Ｌ４１の映像線指定命令を制御線Ｌ１１を介して玄関機ＥＰ２に送出する。また、映像制御装置ＶＣに第１映像線Ｌ４１とＬ４２を接続する命令を送出する。
これにより、玄関機ＥＰ２では、図示しないテレビカメラを起動すると共に、第１映像線Ｌ４１を図示しないスイッチで接続し、第１映像線Ｌ４１に訪問者の映像信号を送出する。
【００２４】
また、１０２号室の住情盤Ｊ２は、制御線Ｌ１２を通じ受信した呼出信号と第１通話線Ｌ２２および第１映像線Ｌ４２の通話・映像線指定命令により、図示しない通話用と映像用の各スイッチを制御して第１通話線Ｌ２２および第１映像線Ｌ４２をそれぞれ接続する。  また、スピーカ３３から呼出音を発し、ロビー灯３５ｂを点灯し、モニタテレビ３１を起動して第１映像線Ｌ４２により送られてくる映像信号による映像を放映する。
【００２５】
住情盤Ｊ２でハンドセット３９が取り上げられると、住情盤Ｊ２から通話制御装置ＴＣに制御線Ｌ１２を介してフックオフ信号が送出される。通話制御装置ＴＣは住情盤Ｊ２からフックオフ信号を受信すると、玄関機ＥＰ２に対し第１通話線Ｌ２１の通話線指定命令を送出し、この命令により玄関機ＥＰ２は図示しないスイッチを制御して第１通話線Ｌ２１を接続する。これにより玄関機ＥＰ２と住情盤Ｊ２との間の通話路が形成され、訪問者と１０２号室の居住者との間で通話が行われる。
集合玄関に入館用の自動ドアがある場合には住情盤Ｊ２の解錠スイッチ３７ｅを操作すると制御線Ｌ１２、Ｌ１１を介して玄関機ＥＰ２の電気錠に解錠信号が送られ、自動ドアが開放される。
【００２６】
また、通話が終了して住情盤Ｊ２のハンドセット３９を元に戻すと、住情盤Ｊ２から制御線Ｌ１２を介して通話終了信号が通話制御装置ＴＣに送られ、通話制御装置ＴＣは制御線Ｌ１１，Ｌ１２ならびに映像制御装置ＶＣに終了命令を送出する。これにより、玄関機ＥＰ２はテレビカメラをオフすると共に第１通話線Ｌ２１と第１映像線Ｌ４１の接続スイッチを開放し、住情盤Ｊ２はモニタテレビをオフすると共に第１通話線Ｌ２２と第１映像線Ｌ４２の各接続スイッチを開放し、映像制御装置ＶＣは第１映像線Ｌ４１とＬ４２の接続を解放する。この結果、第１通話線と第１映像線とは解放される。
以上がインターホンの基本的な動作説明であり、以下に説明する住情盤Ｊ２と管理人室機ＳＭ１との通話においても通話制御装置ＴＣは映像に関するものを除き同様の動作を行う。
【００２７】
次に住情盤Ｊ２から管理人室機ＳＭ１を呼び出した場合における動作について説明する。図５、図６は管理人室機ＳＭ１の処理動作のフローチャートであり、図５は主に住情盤Ｊ２から呼出があった場合の処理を示し、図６は主に住情盤Ｊ２からの呼出時には不在であった管理人が戻った場合の操作に伴う処理を示している。
まず、図５に基づいて住情盤Ｊ２から呼出があった場合の管理人室機ＳＭ１の処理について説明する。
【００２８】
管理人室機ＳＭ１のマイクロプロセッサ（ＭＰＵ）１は、玄関機ＥＰ、住情盤（住戸機）Ｊあるいは管理室のドアホン（図示せず）から呼出信号を受信しているかどうかを判断し（Ｓ１）、呼出信号を受信していない場合には図６に示す後述の▲１▼以下の処理を実行する。Ｓ１で呼出信号を受信していると判断した場合には、その信号が住情盤Ｊからの信号かどうかを判断し（Ｓ３）、住情盤Ｊからの信号でない場合、すなわち玄関機ＥＰ又は管理室のドアホンの場合にはそれぞれ対応する通話処理を実行する（Ｓ５）。ここで、通話処理とは前述のインターホンの基本動作説明で示した処理のことである。
【００２９】
Ｓ３で住情盤Ｊからの信号であると判断した場合には、その住戸からの呼出が要呼出、すなわち管理人が不在の場合に管理人に呼出があったことを知らせる必要があるような緊急性のある呼出であるか否かを判別するための所定時間（例えば３０秒）計時用のタイマをオンする（Ｓ７）。その後、所定時間内にハンドセット２２が取り上げられたかどうかを判断し（Ｓ９）、ハンドセット２２が取り上げられた場合には呼出元の住情盤との通話処理を行い（Ｓ５）、タイマをクリアする（Ｓ１９）。また、管理人室機ＳＭ１側で所定時間内にハンドセット２２が取り上げられない場合には、住戸側で住情盤Ｊのハンドセット３９を戻した場合に発信される呼出終了信号を受信したがどうかを判断し（Ｓ１１）、この信号を受信した場合にはタイマをクリアする（Ｓ１９）。
【００３０】
Ｓ１１で呼出終了信号を受信していないと判断した場合には、予め設定された所定時間が経過したかどうかを判断し（Ｓ１３）、所定時間が経過していない場合にはＳ９以降の処理を繰り返す。Ｓ１３で所定時間が経過したと判断した場合には、呼出のあった住情盤Ｊの住戸番号と現時刻をＲＡＭ７に記憶させ（Ｓ１５）、メモリ灯１１ｇを点灯させ（Ｓ１７）、タイマをクリアする（Ｓ１９）。
【００３１】
以上は管理人室機ＳＭ１の処理の説明であるが、居住者の操作としては、管理人を呼び出したが管理人が不在の場合にどうしても連絡を取りたいときには、住情盤Ｊから管理人室機ＳＭ１を呼び出して、管理人が出ない場合でも呼出状態（住情盤のハンドセット３９を取り上げた状態）を所定時間以上維持させる。これにより管理人室機ＳＭ１では、タイマが所定時間経過したこと、すなわち呼出状態が要連絡を意味することを判別し、メモリ灯１１ｇが点灯することになるので、管理人が外出から戻りメモリ灯１１ｇの点灯を見ることにより、管理人と連絡をとりたい住戸があることを知るのである。
【００３２】
次に、図６に基づいて管理人が不在時および不在であった管理人が戻った場合における管理人室機ＳＭ１の処理を説明する。
ハンドセット２２が取り上げられたかどうかを判断し（Ｓ２１）、ハンドセット２２が取り上げられてないと判断した場合には、メモリスイッチの入力があったかどうかを判断する（Ｓ２３）。ここでメモリスイッチとは要連絡の住戸を知るために、テンキー１３からの予め設定されたコード番号のことをいう。Ｓ２３の判断において、メモリスイッチの入力が無いと判断した場合には、ＲＡＭ７のデータを一括消去を指示する一括消去入力があったかどうかを判断し（Ｓ３１）、一括消去入力がないと判断した場合にはそのままの状態を保持して、図５の処理に戻る。
以上のべたＳ２１以降の処理は管理人が不在の状態、あるいは在室していても管理人室機ＳＭ１になんらの操作も加えていない場合の処理である。
【００３３】
Ｓ３１において一括消去入力があったと判断した場合には、ＲＡＭ７に記憶されているデータをクリアして（Ｓ３３）、メモリ灯１１ｇを消灯する（Ｓ４９）。
Ｓ２３の判断においてメモリスイッチの入力があったと判断した場合には、ＲＡＭ７に記憶されているデータから最初の住戸番号を読み出し表示器９に住戸番号及び時刻を表示する（Ｓ２５）。このとき、住戸番号のみの表示でもよい。
【００３４】
表示器９に住戸番号及び時刻を表示した後、次表示スイッチ１５ｃからの入力があったかどうかを判断し（Ｓ２７）、入力があった場合にはＲＡＭ７に記憶されている次のデータを読み出して表示器９に表示する（Ｓ２９）。Ｓ２７において次表示スイッチ１５ｃの入力がないと判断したときには、Ｓ３１に進み、以降は前述の通りの処理を行う。
なお、次表示スイッチ１５ｃが所定時間、例えば１０秒間操作されないか、もしくは他の操作、例えばハンドセットを取り上げると、表示器９の表示は自動的に消去され、ＲＡＭ７に記憶されている住戸番号を表示する動作は終了する。
【００３５】
以上述べたＳ２３においてメモリスイッチの入力があったと判断した以降の処理は、管理人が外出から戻り、メモリ灯１１ｇの点灯に気が付いたとき管理人が行う操作に基づく処理である。この場合の管理人の操作としては、メモリ灯１１ｇの点灯に気が付くと、メモリスイッチとしてのコード番号の入力を行い、表示器９に表示される呼出のあった住戸番号を確認し、さらに次表示スイッチ１５ｃをオンして他の住戸からの呼出がなかったかどうかを確認する。このような操作によって、管理人は呼出があった住戸番号を簡単に知ることができるのである。
【００３６】
Ｓ２１においてハンドセット２２の取り上げがあったと判断した場合には、住戸番号の入力があったかどうかを判断し（Ｓ３５）、入力があった住戸番号を表示器９に表示し（Ｓ３７）、呼出スイッチ１５ｈがオンされると住戸番号で指定された住情盤、例えば住情盤Ｊ２に呼出信号を送信して住戸呼出処理を行い（Ｓ３９）、通話があったかどうかを判断する（Ｓ４１）。Ｓ４１の通話があったかどうかの判断としては、管理人室機ＳＭ１からの呼出信号により住情盤Ｊ２のハンドセット３９が取り上げられ、管理人機ＳＭ１と住情盤Ｊ２との間で通話可能状態となった後、管理人室機ＳＭ１又は住情盤Ｊ２のいずれかのハンドセット２２，３９が戻されて通話状態が終了したときに通話があったものと判断する。
【００３７】
Ｓ４１において通話があったと判断すると、Ｓ３５で入力された住情盤Ｊ２の住戸番号がＲＡＭ７に記憶されているか判別し（Ｓ４３）、ＲＡＭ７に記憶されている場合には、その住戸と連絡が取れたと判断してその住戸番号と時刻データをＲＡＭ７から消去する（Ｓ４５）。Ｓ４５の処理のあとＲＡＭ７に他の住戸番号のデータがあるかどうかを判断し（Ｓ４７）、データがなければメモリ灯１１ｇを消灯する（Ｓ４９）。
なお、Ｓ３５において住戸番号の入力が無いと判断した場合、Ｓ４１において通話が無いと判断した場合、Ｓ４３でＳ３５の処理により入力された住情盤Ｊ２の住戸番号がＲＡＭ７に記憶されてないと判断した場合、またはＳ４７でＲＡＭ７に他のデータが記憶されてないと判断した場合の各場合にはＳ１の処理に戻る。
【００３８】
以上述べたＳ２１においてハンドセット２２を取り上げたと判断した以降の処理は、管理人が管理人室機ＳＭから住情盤Ｊに連絡をする場合の処理であるが、管理人の操作としては、前述したＳ２３以降の処理で呼出要求のあった住戸に連絡をする場合には、Ｓ２３以降の処理で表示器９に表示された住戸番号をテンキー１３から入力して呼出スイッチ１５ｈを押し、相手が出て通話可能状態となり、その後ハンドセット２２又は３９が戻されれば、当該住戸番号はＲＡＭ７から自動的に消去される。したがって、管理人はデータ消去のための操作をする必要はない。なお、管理人が居住者と連絡を取るために入力した番号がＲＡＭ７に記憶されている番号でない場合にはＲＡＭ７のデータは消去されることはない。
【００３９】
以上のように、本実施の形態によれば、住情盤Ｊから管理人室機ＳＭ１へ連絡した場合において、管理人が不在等の理由により通話ができなかった場合でも、管理人室機ＳＭ１にどの住情盤Ｊから呼出があったかという履歴を残すことができ、管理人が外出から戻った際に直ぐに連絡可能となるので、円滑に連絡の取り合いができる。
また、本実施の形態においては、管理人室機ＳＭ１のＲＡＭ７に住戸番号のみならず時刻まで記憶して、表示器９に表示するようにしたので、管理人としても何時の情報であるかが分かり好都合である。
【００４０】
なお、上記の実施の形態においては、ＲＡＭ７の住戸データをコード入力により消去する方法として一括消去の例を示したが、消去したい住戸番号だけ個別に消去できるようにしてもよい。この場合、例えばＳ２５の処理により住戸番号を表示器９に表示している時に取消コードをテンキー１３から入力することにより、表示中の住戸番号のデータをＲＡＭ７から消去するようにしてもよい。
【００４１】
また、上記実施の形態においては、メモリスイッチをオンする場合、ＲＡＭ７からのデータを一括又は個別に消去する場合の操作としてテンキーからの入力の例を示したが、これらについてもＲＡＭ７から呼出情報を読み出し表示させるためのメモリスイッチ、一括消去スイッチ、個別消去スイッチとして独立スイッチを設けるようにしてもよい。
【００４２】
さらに、上記実施の形態においては、ＲＡＭ７にデータ（住戸番号）が記憶されている場合にはそのデータの数が単数複数に拘わらずメモリ灯１１ｇを単に点灯する構成であったが、メモリ灯１１ｇの点灯を点滅と連続点灯の２種類とし、これによりＲＡＭ７に記憶しているデータ数を識別できるようにしてもよい。
【００４３】
また、上記実施の形態においては、住情盤Ｊからの呼出に対して管理人室機ＳＭ１が予め設定された所定時間出ない場合に呼出のあった住戸番号を管理人室機ＳＭ１側に記憶するようにしたが、住情盤Ｊにメモリセットスイッチを設け、このメモリセットスイッチを押せば所定時間経過しない場合であっても呼出のあった住戸番号を管理人室機ＳＭ１側に記憶できるようにしてもよい。このようにすれば、管理人室機ＳＭが通話中の場合などに管理人室機ＳＭの通話が終了した時期を見計らって再度住戸側から管理人室機ＳＭを呼び出す必要がなくなり便利である。
【００４４】
【発明の効果】
本発明は以上説明したように構成されているので、以下のような効果を奏する。
【００４５】
住戸機から管理人室機に対する呼び出しがあったことを示す呼出情報を記憶する記憶手段と、該記憶手段に記憶されている呼出情報を読み出して表示する表示器とを備えたことにより、管理人が不在の場合に住戸機から管理人室機への呼び出しがあったことを管理人に知らせることができるようになり、各住戸の住人と管理人との円滑なコミュニケーションが可能となる。
【００４６】
また、表示器を管理人室機に設けるようにしたので、部品の共通化等により装置のコスト低減を図ることができる。
【００４７】
さらに、記憶手段は、住戸機からの呼出状態が所定時間継続したときに呼出情報を記憶するようにしたことにより、居住者は何等の追加の操作をすることなく呼出情報を管理人室機に記憶させることができ、操作忘れなどがなくなり便利である。
【００４８】
また、記憶手段は、複数の呼出情報を記憶できるようにしたので、複数の住戸機からの呼出があった場合にも対応可能となり、複数の住戸機からの呼出の可能性のある管理人の不在時間が長い場合に便利である。
【００４９】
さらに、表示器は、記憶手段に記憶されている呼出情報を順次に呼び出して順次に表示できる順次呼出機能を有するので、呼出要求のあった順序を知ることができ便利である。
【００５０】
また、記憶手段に呼出情報が記憶されていることを表示する住戸メモリ灯を備えたので、呼出情報が記憶されているかどうかを一見して知ることができ、無用な操作の必要がなくなり便利である。
【００５１】
さらに、記憶手段に記憶されている呼出情報にある住戸機を管理人室機が呼び出し、該管理人室機と該住戸機との間で通話状態が終了したときに、該住戸機に関する呼出情報を前記記憶手段から消去する応答消去手段を備えたので、管理人はデータ消去のための操作をする必要がなくなり便利である。
【００５２】
また、記憶手段に記憶されている呼出情報を呼出情報単位で個別に消去する個別消去手段を備えたので、たとえば管理人が呼出情報にある住戸の居住者と偶然にであったような場合に不要となった呼出情報のみを消去できるので便利である。
【００５３】
さらに、記憶手段に記憶されている呼出情報を一括して消去する一括消去手段を備えたので、全ての呼出情報を一つの操作で消去でき便利である。
【図面の簡単な説明】
【図１】本発明にかかるインターホン設備全体の系統図である。
【図２】管理人室機のブロック図である。
【図３】管理人室機の概略の構成を示す外観構成図である。
【図４】住情盤の概略の構成を示す外観構成図である。
【図５】管理人室機の処理フローチャートである。
【図６】管理人室機の処理フローチャートである。
【符号の説明】
Ｊ１〜Ｊｎ  住情盤
ＴＣ  通話制御装置
ＶＣ  映像制御装置
ＥＰ１，ＥＰ２  玄関機
ＳＭ１，ＳＭ２  管理人室機
ＳＭＰ  管理室親機
１  マイクロプロセッサ
７  住戸番号（更には日時）を記憶するランダムアクセスメモリ
９  表示器
１１  各種表示灯
１３  テンキー
１５  各種スイッチ
２２，３９  ハンドセット
【図１】
0003716361.tif 000002
【図２】
0003716361.tif 000003
【図３】
0003716361.tif 000004
【図４】
0003716361.tif 000005
【図５】
0003716361.tif 000006
【図６】
0003716361.tif 000007